(57)【要約】本発明によって、ＰＣＭおよび能動的に冷却する熱交換器システムからなる装置が開示される。ヒトおよび動物における熱交換器システムの使用は、温度上昇の従来の問題を確実に解決する。このシステムは、柔軟なストッキングへの組み入れから、矯正具のソケットへの組み入れまで、如何なる硬さでも実現されることができる。このことによって、上記技術の種々様々な使用範囲が生じる。該使用範囲は、冷媒用チャネルの中のモジュールの形態の、または、冷媒が流れることができるチューブが製造される元となる、ＰＣＭ含有の化合物の形態のＰＣＭから、身体の残留熱を除去する熱交換器を有するＰＣＭまでに及ぶ。
2013526306.tif 000002
【特許請求の範囲】
【請求項１】
生物の身体と直に熱的に接触している物品または可撓性のシート状物に適切な温度低下のための装置であって、前記物品または前記可撓性のシート状物には、相転移材料（ＰＣＭ）および熱交換器が、少なくとも部分的に組み入れられており、前記物品の機能性は維持されており、前記ＰＣＭは、前記熱交換器と熱伝達のために接触している、温度低下のための装置。
【請求項２】
前記交換器は、前記ＰＣＭの温度を溶融範囲より下におよび／または該溶融範囲に保つ媒体を運ぶ、請求項１に記載の装置。
【請求項３】
前記ＰＣＭは、ＰＣＭ含有のモジュールの形態でおよび／またはＰＣＭ含有の粒子のバルク製で存在している、請求項１または２に記載の装置。
【請求項４】
前記ＰＣＭは、好ましくは、パラフィン、含水塩およびこれらの物質の修飾体製で、例えば化合物として存在する、請求項１ないし３のいずれか１項に記載の装置。
【請求項５】
前記化合物は、チューブまたはＰＣＭで充填されたパッドの形態で存在している、請求項４に記載の装置。
【請求項６】
前記ＰＣＭまたは該ＰＣＭの修飾体が支持構造、例えば繊維吸収構造に組み入れられている、請求項１ないし５のいずれか１項に記載の装置。
【請求項７】
前記熱交換器は、冷媒が貫流する空洞の形で存在する、請求項１ないし６にいずれか１項に記載の装置。
【請求項８】
前記熱交換器の操作が、オープンシステムでなされる、請求項１ないし７のいずれか１項に記載の装置。
【請求項９】
前記熱交換器の媒体として、周囲空気が使用される、請求項１ないし８のいずれか１項に記載の装置。
【請求項１０】
前記可撓性のシート状物は、多層構造である、請求項１ないし９のいずれか１項に記載の装置。
【請求項１１】
前記シート状物は、シリコーン層を含む、請求項１０に記載の装置。
【請求項１２】
前記熱交換器の媒体を前記ＰＣＭと熱伝達のために接触させる手段の流れ構造は、前記シリコーン層の表面構造として設けられている、請求項１０または１１に記載の装置。
【請求項１３】
前記熱交換器の媒体を前記ＰＣＭと熱伝達のために接触させる手段の流れ構造は、外部に設けられている、請求項１０または１１項に記載の装置。
【請求項１４】
純粋な形態および／またはプラスチックポリマーとの化合物の形態での、矯正具および／または補装具のような物品における、衣類における、靴、ヘルメット、サドルまたはシートにおけるおよび／またはインソールまたはストッキングとしての、熱交換器に連結されたＰＣＭの使用。
【発明の詳細な説明】
【技術分野】
【０００１】
本発明は、溜められた体熱による温度低下のための装置に関する。
【背景技術】
【０００２】
知られているように、ヘルメット、スニーカー、カーシート、自転車のサドル、鞍のような物品、ならびにインソールまたはストッキングのような織物、すなわち柔軟な織物、および、特に、身体用矯正具または身体用補装具における所定の箇所に、身体の汗が追加的に集まるのは、身体の加熱がそこに集中し、比較的不十分にしか排出されることができないからであって、従って、日用品および／または柔軟なシート状物および／または可撓性のマトリックスにおける箇所での身体の残留熱（Stauwaerme）が生じるからである。
【０００３】
問題は、既に、多様な方法で対処される。例えば、閉じられていることが意図される夏向きの靴では、上部で、部分的に、上部材料、例えば皮革が、空気孔によって中途妨害される。その目的は、空気の一定の流れが靴の中に生じるためである。これらの孔は、閉じた靴の見た目がいいように、ネットで覆われる。同じことが、あらゆる種類のヘルメットにおいて、実施される。ヘルメットが、狭い箇所で、単に中途妨害されるか、あるいは、ネットが入れられる。その目的は、冷却空気が身体の放熱を吸収することができるためである。空気孔の欠点は、該空気孔が、当該の箇所におけるヘルメットの機能を停止させること、第２には、種々の箇所で、例えば、靴底または補装具において、材料のかような中途妨害が、部品全体を使えなくするだろうことである。織物の上部の空気孔は、ジャケット等の腋の下で、ジッパーによっても供される。
【０００４】
更に、蓄積するための織物、例えば、靴の中敷き、シーツおよび枕カバー等がある。しかしながら、これらは、積極的な放熱機能を有しない。
【０００５】
特許文献１からは、相転移材料（Phase Change Material, PCM）を有する織物製シート状物が公知である。このシート状物は、身体の放熱を抑えるために設けられている。すなわち、シート状物は、防寒として、つまり、身体自体の熱を長時間保持するために、用いられる。特許文献１から公知の織物製のシート状物の欠点は、溜まった体熱を放出するための手段がないことである。
【先行技術文献】
【特許文献】
【０００６】
【特許文献１】US 5,722,482
【発明の概要】
【０００７】
本発明の課題は、例えば補装具のように硬い日用品、例えば靴底のように曲げられる日用品、例えばサポートストッキングのように柔軟でありかつ生物の身体との熱的に直接接触している日用品に使用可能である、温度低下のための装置を提供することであって、該装置は、当該の箇所での物品および／または可撓性のマトリックスの機能性がなくなることなく、物品および／または可撓性のマトリックスに組み入れ可能である。
【０００８】
上記課題の解決を、明細書、図面および特許請求の範囲を参照して、以下に開示する。
【０００９】
本発明の一般的な知識は、いわゆるＰＣＭ（高い蓄熱容量を有する相転移材料）および、例えば、身体に接触している可撓性のおよび／または硬い物品に取り付けられた適切な熱交換器によって、蓄熱手段が形成され、該蓄熱手段は、皮膚の表面温度または皮膚に密接している物品の接触温度を、快適な温度範囲に保ち、かつ、同時に、物品の着用快適性および／または機能性を変化させないことである。ＰＣＭの再生は、好ましくは連続的に、着用中にも、熱交換器によってなされる。
【００１０】
従って、本発明の主題は、生物の身体と直接熱的に接触している、皮膚に密接している物品、および／または皮膚に密接している可撓性のマトリックスに適切な温度低下のための装置である。この装置は、物品および／または可撓性のマトリックスに少なくとも部分的に組み入れられており、かつ、相転移材料（ＰＣＭ）および熱交換器を有する。更に、本発明の主題は、純粋な形態および／または、例えば、プラスチックポリマー、ケイ酸塩、グラファイト等との化合物の形態での、矯正具および／または補装具のような物品における、衣類における、靴、ヘルメット、サドルまたはシートにおけるならびにインソールおよび／またはストッキングのような可撓性のマトリックスにおける、熱交換器に連結されたＰＣＭの使用である。
【００１１】
温度低下のための、本発明に係わる装置は、例えば、日用品または整形外科用品の、または、軟部を安定化させる織物（ストッキング）の一部のみ含まれているか、あるいは実現されている。日用品または整形外科用品は、用品が、非可撓性の形、または部分的に硬い少なくとも１つの形を有するという点、とりわけこの点で、異なる。概念的には、２つの「カテゴリー」は、分離されない。何故ならば、物品は、部分的に、可撓性の形を有することができ、織物は硬い部分を有することができるからである。従って、本発明に係わる装置は、ほかの部分では非可撓性の物品の可撓性の部分に、とりわけそこにまたはそこにのみに組み入れられており、逆に、ほかの部分では可撓性の物品の非可撓性の部分に組み入れられること、および、装置が、柔軟な織物において、非可撓性の構成要素がある箇所に、とりわけそこにまたはそこにのみに組み入れられていることは、可能である。本発明の意味では、これらの可能な構造のすべてが含まれていることが意図される。
【００１２】
有利な実施の形態では、熱交換器は、作動中に、ＰＣＭの温度を溶融範囲の下におよび／または溶融範囲以内に保つ。従って、ＰＣＭの冷却効果が維持されるのみならず、身体部分を囲むＰＣＭの温度もほぼ一定に保たれる。それ故に、望ましくない過酷な温度変化は生じない。
【００１３】
温度低下のための装置、特に熱交換器も、例えば、冷媒が貫流する二重壁の形態で、または、冷媒が流れる溝を有する不織布の形態で、物品の内部に、組み入れられていることは特に好ましい。同様に、ＰＣＭは、必ずしも、全面的に設けられている必要はない。却って、物品の個々の領域に、ＰＣＭの「小さなパック」が備えられていてもよい。これらの場合に、熱交換器が、物品のこれらの領域に限定されていてもよい。ＰＣＭおよび熱交換器機能を物品に組み入れるために、包括的記述はない。何故ならば、組み入れの可能性は、一方では、物品に依存しており、次には、着用者に依存しているからである。
【００１４】
更に、温度低下のための装置が、物品、例えば、ヘルメット、靴、サドルに着脱可能に取り付けられており、従って、例えば、ベルトまたはマジックファスナー（登録商標）によって保持されていることが意図されている。かようにして、季節および需要に応じて、物品に装置を装着し、かつ物品から取り外すことができる。
【００１５】
熱交換器は、熱を吸収しかつ熱を放出する構成要素からなる完備した装置である。この場合、このユニットは、ＰＣＭ要素と、熱媒体が貫流しかつＰＣＭに密接している空間とから形成されている。貫流を、オープンシステムで、または閉じた循環システムで行なうことができる。オープンシステムでは、熱媒体は自由に吸引され、ＰＣＭの傍を運ばれ、次に、外に排出される。閉じたシステムでは、放熱を、直接に外へ行なうのではなく、他の中間熱交換器を介して、間接的に行なう。
【００１６】
例えば、周囲空気で操作される熱交換器を、オープンシステムで操作することができる。他方では、熱交換器が、特殊な冷却媒体、例えば水を用いて、閉じたシステムで操作されることは好ましい。
【００１７】
装置は、可撓性のシート状物の形態で、有することができる。可撓性のマトリックスには、完全にまたは部分的に、ＰＣＭまたはＰＣＭ含有の領域が備えられている。熱をＰＣＭから除去および／またはＰＣＭに供給することができるように、熱交換器の媒体を、可撓性のマトリックスのＰＣＭと熱伝達のために接触させる手段が設けられている。
【００１８】
熱交換器の媒体をＰＣＭと接触させる手段−以下に、単に「手段」という−は、
流れ構造、例えば、溝、チャネル、例えば、曲がりくねったチャネル、節、ピラミッド等のような種々のプロファイルを有するチャネルまたは隆起を含む。該流れ構造によって形成されるパターンは、全く任意であってよい。該パターンは、広告媒体として用いられる。流れ構造、従って手段は、当然ながら、媒体がＰＣＭを通って流れる速度に影響を及ぼす。
【００１９】
本発明の有利な実施の形態によれば、流れ構造は、少なくとも部分的に、可撓性のマトリックスの表面構造を形成する。
【００２０】
手段は、他の実施の形態によれば、流れ構造のほかに、熱交換器の媒体を動かす装置も有する。
【００２１】
有利な実施の形態によれば、ＰＣＭは、パラフィン、含水塩および／またはＰＣＭ高分子化合物、ＰＣＭシリケート化合物、ＰＣＭグラファイト化合物等のような適切な修飾体の形態で存在する。他の実施の形態では、これらのＰＣＭまたは該ＰＣＭ修飾体は、適切な支持構造、例えば毛管繊維吸収構造に組み入れられていてもよい。
【００２２】
本発明の有利な実施の形態によれば、熱媒体は、ガス状であって、従って、例えば周辺空気である。この場合、可撓性のシート状物自体の着用者は、例えば、自己の運動（例えば、靴、サドル）によって、ＰＣＭの熱を除去するために流れ構造を通っての媒体の移動を実現する。他方では、小型ファン、または、媒体の移動または流れを引き起こす他の装置も設けられていてよい。
【００２３】
有利な実施の形態によれば、媒体の流れは、ＰＣＭの温度を溶融範囲の下にまたは溶融範囲以内に保つように、調整される。
【００２４】
本発明の実施の形態によれば、ＰＣＭを有する領域は、冷却織物または冷却不織布を形成する可撓性のマトリックスにおける小さなアイランドである。
【００２５】
かくして、実施の形態では、身体に着用された可撓性のシート状物および／または冷却不織布に、ＰＣＭ含有の小さなパックを有する小さいアイランドが組み入れられる。この場合、可撓性のシート状物の特性は維持される。
【００２６】
可撓性のマトリックスまたは冷却不織布のための材料としては、あらゆる種類の知られたクッション材料を使用することができる。既述のシリコーンのほかに、例えば、ポリウレタン、熱可塑性ポイマー、コポリマー、ポリエテレン等がある。
【００２７】
流れ構造は、表面に沿って流れる媒体が、アイランドおよび／またはＰＣＭを有する領域を介して運ばれ、そこでは、好ましくは、ＰＣＭから媒体への熱交換が生じるように、設計されていてもよい。
【００２８】
例えば、下腿用補装具は、通常、硬いソケットのほかに、軟部を安定化するための可撓性のシリコーンストッキングを有する。シリコーンストッキングは、身体部分を覆うように引き被せられ、一方では、皮膚に直接密接し、他方では、ソケットに嵌まり込んでいる。これは、例えば、本発明の実施の形態によれば、領域、例えば、ＰＣＭ含有の材料からなる円形のアイランドが備えられているシリコーンストッキングである。可撓性のシリコーンストッキングの特性は、実質的に維持されている。ソケットには、小型ファンが設けられており、該小型ファンによって、空気は、ソケットの内側に沿って吹き込まれ、かつ、ＰＣＭ領域を備えたシリコーンストッキングの流れ構造に沿って流れる。この場合、空気流を導く構造は、ソケットの内側のみならず、インサートの、例えばシリコーンストッキングの、外側にも設けられていてよい。
【００２９】
本発明によれば、ソケットは、次に、温度低下のための装置を有することができる。少なくとも部分領域に、ソケットは、温度低下のために、２層に形成されていてもよい。それ故に、ＰＣＭおよび熱交換器システムは、実際に、ソケットに組み入れられている。冷媒を動かすための手段、従って、例えば、ファンまたは小型ポンプを、次に、冷却不織布のためのみならず、物品の硬い部分、従って例えばソケットに組み入れられた熱交換器のためにも、併用することができる。
【００３０】
熱交換器の媒体をＰＣＭと熱伝達のために接触させる手段は、流れを発生させるための装置、例えば、ファン、ポンプまたは靴またはサドルの開口部を有する。該装置によって、移動中に、空気が、靴および流れ構造を通ってポンピングされる。流れ構造は、媒体が、ＰＣＭの近傍を流れることをもたらす。流れ構造は、可撓性のマトリックス上に、ＰＣＭと共にまたはＰＣＭとは別に、従って外部に設けられていてもよい。かくして、これらの流れ構造は、補装具のソケットの内側に、あるいは、生物と身体接触している靴の、または他の硬い物品の内側に設けられていてもよい。手段は、熱交換器の媒体が、該手段によって、可撓性のシート状物のＰＣＭと熱伝達のために接触させられるように、設計されている。
【００３１】
可撓性のマトリックスのまたは物品の領域が、温度度低下のための装置を有さず、従って、ＰＣＭ含有の領域またはアイランドを備えていないこと、および／または、物品のまたは可撓性のマトリックスのこれらの領域には、流れ構造が設けられておらず、従って、媒体が該領域の周りを流れる。
【００３２】
他の実施の形態では、可撓性のシート状物は、複数の層、従ってスタックを有する。例えば、小型化された形で、ＰＣＭを有するアイランドと、可撓性のマトリックスとが交互に来る。この場合、可撓性のシート状物の種々様々な特性を、実現することができる。特に、スタックの、身体に向いた側には、スタックの、外部に向いた側とは異なる表面特性が実現されていることができる。可撓性のマトリックスの材料およびＰＣＭも、１つの層の中でまたはスタックの中で異なることがある。
【００３３】
この場合、例えば、層構造は、以下のように実現されている。すなわち、
ＰＣＭ領域を有する可撓性のマトリックスが、
該マトリックス上に、熱交換器の媒体のための流路を形成する隆起を有する層が、
該層の上に、再度、ＰＣＭを支持する層、および、次に再度、熱媒体を含む層が形成されており、
構造化にもかかわらず、層および全体的な構造の柔軟性ができる限り維持されており、あるいは、意図された動きのパターンに従って、動きのパターンを支持することができる。
【００３４】
例えば、身体における軟部安定化のための、多層のシリコーンストッキングがある。該シリコーンストッキングは、ここでは、可撓性のマトリックスとして用いられることができる。次に、ＰＣＭは、例えば、平面状の小さなフィルム切片の形態で、個別の領域で、可撓性のマトリックスに組み込まれ、切断され、あるいは接続される。それ故に、可撓性のマトリックスの柔軟性および引裂き強度のような機械的特性が実質的に維持される。可撓性のマトリックスへのＰＣＭの組み込みは、マトリックスのみならずＰＣＭの各々の材料に依存している。しかし、可撓性のマトリックスへのＰＣＭの組み込みのあらゆる種類は、本発明の意味に含まれていることが意図される。
【００３５】
熱媒体として、周辺空気および他のガス状の媒体のほかに、例えば、液状の熱媒体または単に水が考えられる。
【００３６】
熱媒体としては、特に周囲空気が用いられ、しかしながら、熱交換操作を、オープンシステムのみならずクローズドシステムとして行なうことができる。しかし、ＰＣＭと熱的に接触する媒体が、必ずしも、連続的に再生される必要がないことは好ましい。特に、身体からＰＣＭを介して吸収される熱を媒体が再度放出することは、媒体の「再生」として理解されねばならない。
【００３７】
例えば、熱交換器は、ＰＣＭによって囲まれたチューブシステムを有する。該チューブシステムを通って、水または周囲空気が導かれる。
【００３８】
この場合、チューブシステム自体、従って、例えば、チューブの素材である材料が、ＰＣＭを含むことは、特に好ましい。
【００３９】
例えば、熱交換器は、２層の物品の環状ギャップをも含む。
【００４０】
他の実施の形態によれば、熱交換器は、微細孔またはマイクロギャップを有し、微細孔またはマイクロギャップを通して、周囲空気が流れまたはポンピングされる。
【００４１】
「生物の身体に直接熱的に接触している物品」と見なされるのは、ここでは、例えば、ヘルメット、補装具、矯正具、靴、自転車のサドル、馬上の鞍、カーシート、手袋、全種類の織物、サーフィンスーツ、ウェットスーツ、ゴーグル等である。本発明の意味では、身体の残留熱を発生させるすべての物を含む。
【００４２】
潜熱を蓄積することができる全種類の市販のＰＣＭは、相転移材料と見なされる。
【００４３】
潜熱の蓄積とは、主に固体から液体への相転移を被る材料（英語  Phase Change Material、PCM）における熱の蓄積を意味する。固体から液体への相転移のほかに、原理的には、固体から固体への相転移も使用することができる。しかし、後者の相転移は、通常、はるかに低い蓄積密度を示す。
【００４４】
熱を蓄積材料に蓄積する際には、材料は、相転移の温度に達すると、溶融し始め、次に、熱の更なる蓄積にもかかわらず、自らの温度を、材料が完全に溶融してしまうまでには、上昇しない。そのときはじめて、再度、温度の上昇が生じる。
【００４５】
熱の供給にも係わらず長時間目立った温度上昇が生じないので、相転移中に蓄積された熱は、「隠された熱」または「潜熱」とも呼ばれる。固体から固体への相転移の場合に、潜熱は、蓄積材料の溶融熱または結晶化熱に含まれている。
【００４６】
潜熱の蓄積は、種々の温度範囲でなされることができる。適用に応じて、潜熱の蓄積のためには、相変化の適切な温度を有する材料を選択しなければならない。この場合、温度範囲に応じて、種々の材料のクラスが使用される。
【００４７】
体熱の範囲に関しては、本発明の意味では、一般的に、パラフィンまたは含水塩あるいは該物質の修飾物が、ＰＣＭとして提案されている。
【００４８】
かくして、例えば、ＰＣＭは、化合物の形態でも存在することができる。化合物の実施の形態は、パラフィン系高分子化合物、含水塩、含水塩グラファイト化合物、パラフィン-シリケート化合物等である。
【００４９】
パラフィン系高分子化合物は、フィルム、粒質物、チューブまたは他の成形体としても存在することができる。他の実施の形態では、これらのＰＣＭまたは該ＰＣＭの修飾体は、対応の支持構造、例えば、毛細繊維吸収構造に組み入れられていてもよい。
【００５０】
ＰＣＭおよびＰＣＭ化合物の他の好ましい変形例は、フィルムでパックされたＰＣＭである。
【００５１】
熱交換器用の媒体として、ここでは、周囲空気および／または水を使用することは好ましい。それ故に、ＰＣＭを囲むラインシステムに周囲空気または水を貫通させることによってのみ、温度低下のための装置が機能する。
【００５２】
媒体を再生または冷却に晒すことができるのは、媒体が、例えば、可動の冷却ユニットに接続されていることによってである。
【００５３】
他の実施の形態では、媒体は、例えば水である。該水は、ラインシステムを通って流れ、かつ、関連の冷却ユニットによって再度再生される。
【００５４】
追加の冷却のための他の実施の形態は、液体で含浸可能な材料、例えば不織布からなる。該材料に、例えば、水または他の気化可能な液体を加えることができる。この不織布は、近傍を通過する強制的な空気流により液体を蒸発冷却することによって、大幅に減少された冷却温度をもたらす。
【００５５】
蒸発不織布の好ましい実施の形態は、ソケットの外側に、例えば、ファンの吸込み側にある。
【００５６】
以下、本発明を、選択された実施の形態を参照して、詳述する。
【図面の簡単な説明】
【００５７】
【図１】本発明に記載の温度低下のための装置を有する義足または義手あるいは矯正具の例を示す。
【図２】装置が組み入れられている他の補装具を示す。
【図３】最後に、チューブの横断面を示す。化合物が、チューブの材料として使用されている。
【図４】図１と同一の視界の図を示す。蒸発熱は、ＰＣＭの再生を少なくとも支援する。
【発明を実施するための形態】
【００５８】
図１は、切断の場合にいわゆる断端すなわち切断された四肢の残りが挿入される相手方である補装具を示す。通常は、該補装具は、単層の樹脂からなる。
【００５９】
本発明の、ここに示した実施の形態によれば、単層の樹脂構造の代わりに、２層の構造が採用される。２つの壁部１および２、すなわち、内壁１および外壁２は、空洞を定め、該空洞は環状ギャップ３である。環状ギャップ３は、ここでは、示すように、上で、全面的に開いている。しかしながら、環状ギャップは、部分的にのみ開いていてもよい。環状ギャップ３には、ここに示すように、ＰＣＭモジュール４が、個別の小さなパックとして組み込まれている。該小さなパックは、例えば、表面５、例えばゴムの表面上に設けられている。補装具の下方には、一方では、補装具において低圧を維持する吸気弁６があり、他方では、２つの壁部１と２の間に吸気弁７がある。該吸気弁によって、環状ギャップ３を通ってＰＣＭモジュール４の周りに流れる冷媒が吸引される。矢印９は、ガス状の冷媒が環状ギャップ３を通ってＰＣＭモジュール４の周りを流れる道筋を示す。弁７は、例えば、ポンプ、ファンおよび／または外部の冷却ユニット（図示せず）に接続されている。これらの手段によって、空気または冷媒が、環状ギャップ３を通って、運ばれ、吸引され、ポンピングされおよび／または冷却され、従って、ＰＣＭモジュールが熱を放出し、あるいは、従って、湿気は矯正具から吸引される。
【００６０】
従って、熱交換器はオープンシステムで操作される。何故ならば、例えば、単に、周囲空気が、弁７によって、開放型の環状ギャップ３を通って吸引されるからである。
【００６１】
好ましい実施の形態によれば、補装具の内壁１には、更に温度センサもある。該温度センサによって、内部温度が検出可能である。温度センサは、外部の閉ループおよび開ループ制御手段に接続されている。該閉ループおよび開ループ制御手段は、冷媒の流量および／または温度を制御する。
【００６２】
本発明の、図１に示した実施の形態によれば、補装具の外壁２には、更に複数の微細孔８が設けられている。該微細孔を通り、例えば周囲空気の形態をとる他の冷媒が、環状ギャップ３を通って運ばれる。微細孔は、ここでは、例示されているだけであり、当然ながら、装置の寸法および形状において任意に設けられていることができる。
【００６３】
ＰＣＭモジュールは、個別の小さなパックとして、またはパラフィン系高分子化合物バルクとして存在してもよく、しかしまた、他のあらゆる任意の形態でも、および、下方で閉じられた環状ギャップに設けられた簡単なバルク（Schuettung）として存在してもよい。最後に、内壁２は、全体にまたは部分的に、ＰＣＭ、ポリマーの形態の、例えば可撓性マトリックスを含む合成樹脂を有する化合物からなってもよい。
【００６４】
本発明によれば、ＰＣＭモジュール４は、同様に、環状ギャップ３の中で任意に分布して存在していてもよい。例えば、冷却が上で余り必要なく、下で必要であるときは、ＰＣＭモジュールの密度は、環状リング３に亘って、任意に変化することができる。ＰＣＭモジュールは、最後に、可動におよび／または着脱自在に設けられていることができる。それ故に、モジュールを移動させることができ、あるいは、追加のモジュールを加えたり除いたりできる。
【００６５】
図２は、図１のように、矯正具または補装具の例を示す。内壁１および外壁２を有する２層の構造が、同様に認められる。しかしながら、ここでは、図１と異なり、冷媒が、開放型の環状ギャップ３を通って運ばれず、チューブ巻線１０がある。該チューブ巻線は複数のＰＣＭモジュール４の間に取り付けられ、チューブ巻線の中には、熱交換器の冷媒が流れる。熱交換器としてのチューブ巻線は、必ずしも、閉じたシステムである訳ではなく、例えば、冷媒としての空気で作動されることができる。それ故に、吹き抜ける冷却空気の入口および出口が、矯正具または補装具の内部空間で終わる。他方では、冷媒としては、液状媒体、例えば水を使用することができる。熱交換器を、チューブを水供給手段に、他の熱交換器に、または水冷却システム（外部にあって、図示されない）に戻す状態にある閉じたシステムとして、作動させることができる。
【００６６】
図３は、最後に、チューブ１１の横断面を示す。該チューブは、本発明によれば、ＰＣＭが存在してなる２層のシステムと共に、または他のＰＣＭモジュールなしにも使用可能である。チューブ１１は、該チューブが冷媒のためのチャネル１３であり、かつ、チューブ１１がＰＣＭ１２を含む化合物、例えばＰＣＭをポリマーマトリックスに含む化合物を有することを特徴とする。
【００６７】
図３に示したチューブを、種々の厚さで製造することができ、あらゆる種類の剛性のおよび可撓性の物品に組み入れることができる。この場合、種々の要求を満たすことができる。何故ならば、チューブ壁部の直径と、流動空間の内径と、最後に、ＰＣＭが加えられる相手である化合物とが選択可能であるからである。
【００６８】
図４は、冷却発生装置の他の実施の形態を示す。この実施の形態では、例えば、ファンによって運ばれる冷却空気は、矢印９に示すように、ソケットの中で、例えば水で含浸された不織布１４を介して運ばれ、かつ、不織布の傍を通過する強制的な空気流による不織布の液体の蒸発冷却によって、結果として、大幅に下げられた冷却温度を引き起こす。
【００６９】
例として、ここでは、靴底での使用を、再度簡単に述べる。複雑なポンプ装置または吸引装置の代わりに、ここでは、歩行運動が、冷媒をチューブを通ってポンピングすることを引き起こす。ＰＣＭ含有のチューブの実施の形態は、多様に使用可能である。身体の物理的な動きが、冷媒を動かすための外部装置の代わりをする所ではどこでも、チューブが組み入れられることができる。
【００７０】
本発明によって、ＰＣＭおよび能動的に冷却する熱交換器システムからなる装置が開示される。ヒトおよび動物における該熱交換器システムの使用は、従来の温度上昇の問題を確実に解決する。該システムは、如何なる硬さでも、すなわち、柔軟なストッキングにおける組み入れから、矯正具のソケットにおける組み入れまで、実現することができる。このことによって、上記技術の多種多様な使用範囲が生じる。該使用範囲は、冷媒チャネルにおけるモジュールの形態の、または、冷媒が流れることができるチューブが製造される元であるＰＣＭ含有の化合物の形態のＰＣＭから、身体の残留熱を排出するための熱交換器を備えたＰＣＭまで及ぶ。
【符号の説明】
【００７１】
１  壁部、内壁
２  壁部、外壁
３  環状ギャップ
４  ＰＣＭモジュール
５  表面
【図１】
2013526306.tif 000003
【図２】
2013526306.tif 000004
【図３】
2013526306.tif 000005
【図４】
2013526306.tif 000006
【国際調査報告】
2013526306.tif 000007
2013526306.tif 000008
2013526306.tif 000009
2013526306.tif 000010
2013526306.tif 000011
2013526306.tif 000012